(57)【要約】【課題】それぞれ別個の装置であったカラオケ、アンプおよびディスプレイ装置を一つの装置に統合することにより、カラオケまたはアンプを収納するための収納テーブルまたは棚なしにもカラオケルームシステムを容易に設置することができ、狭小なカラオケルームの空間を効率よく使用することができる、ディスプレイ装置を一体に備えた薄型カラオケの提供。【解決手段】スピーカとマイクを含むカラオケにおいて、中央に開口部が設けられたフロントカバーと、前記フロントカバーに結合して内部空間を形成するように後方に折り曲げられ、多数の放熱孔を有するバックカバーと、前記フロントカバーの後面に配置され、前面にディスプレイ部を形成するディスプレイパネルと、前記ディスプレイパネルの後面の一側に配置され、前記ディスプレイパネルと電気的に連結されて外部からの映像信号を処理する、多数の電子部品およびＰＣＢからなるディスプレイ用基板と、前記ディスプレイパネルの後面の他側に配置され、前記ディスプレイ用基板と電気的に連結されて歌の伴奏と歌詞を格納するとともに伴奏音の音程、速度、反響およびボリュームなどを調節し、マイクからの入力信号を混合して前記スピーカを介して出力する、多数の電子部品およびＰＣＢからなる伴奏器用基板とを含んでなる、ディスプレイ装置を一体に備えた薄型カラオケを提供する【選択図】図３
2009533697.tif 000002
【特許請求の範囲】
【請求項１】
スピーカとマイクを含むカラオケにおいて、
中央に開口部が設けられたフロントカバーと、
前記フロントカバーに結合して内部空間を形成するように後方に折り曲げられ、多数の放熱孔を有するバックカバーと、
前記フロントカバーの後面に配置され、前面にディスプレイ部を形成するディスプレイパネルと、
前記ディスプレイパネルの後面の一側に配置され、前記ディスプレイパネルと電気的に連結されて外部からの映像信号を処理する、多数の電子部品およびＰＣＢからなるディスプレイ用基板と、
前記ディスプレイパネルの後面の他側に配置され、前記ディスプレイ用基板と電気的に連結されて歌の伴奏と歌詞を格納するとともに、伴奏音の音程、速度、反響およびボリュームなどを調節しマイクからの入力信号を前記伴奏音と混合して前記スピーカを介して出力する、多数の電子部品およびＰＣＢからなる伴奏器用基板とを含んでなる、ディスプレイ装置を一体に備えた薄型カラオケ。
【請求項２】
前記伴奏器用基板は、キー入力部からのデータを処理するとともに、選曲の際には当該伴奏音を抽出して信号処理するメインボードと、歌の伴奏および歌詞または動画像を格納し出力するハードディスクと、伴奏音の音程、速度および反響を調節し、マイク入力信号を伴奏音と混合するアンプおよび電源装置とを含んでなることを特徴とする、請求項１に記載のディスプレイ装置を一体に備えた薄型カラオケ。
【請求項３】
前記ディスプレイ用基板と前記伴奏器用基板は、修理および交替を容易にするために、前記ディスプレイパネルの後面に設置されたガイドレールに沿って上下に摺動自在に設置されることを特徴とする、請求項１に記載のディスプレイ装置を一体に備えた薄型カラオケ。
【請求項４】
前記ディスプレイ用基板と前記伴奏器用基板は、修理および交替を容易にするために、前記ディスプレイパネルの後面に固定されている支持プレートのガイドレールに沿って上下に摺動自在に設置されることを特徴とする、請求項１に記載のディスプレイ装置を一体に備えた薄型カラオケ。
【請求項５】
前記ディスプレイ用基板と前記伴奏器用基板の下端には、各種端子を設置するための端子板が垂直に設置され、前記フロントカバーの後面の下端には、前記ディスプレイ用基板と前記伴奏器用基板が挿入されるように前記ディスプレイ用基板と前記伴奏器用基板それぞれに対応して設けられる挿入口を有する垂直プレートが設置されたことを特徴とする、請求項１に記載のディスプレイ装置を一体に備えた薄型カラオケ。
【請求項６】
前記ディスプレイ用基板と前記伴奏器用基板は、一つの電源装置によって電源が供給されることを特徴とする、請求項１に記載のディスプレイ装置を一体に備えた薄型カラオケ。
【発明の詳細な説明】
【技術分野】
【０００１】
本発明は、厚さの薄い薄型カラオケに係り、さらに詳しくは、ディスプレイ装置、アンプおよびカラオケをワンボディに一体化した薄型カラオケに関する。
【背景技術】
【０００２】
一般に、カラオケルームに設置するカラオケルームシステムは、カラオケ、アンプおよびディスプレイ装置を含んでなる。カラオケは、歌の伴奏と歌詞が格納され、選曲の際には出力する装置であり、ディスプレイ装置は、カラオケとは別途に設置され、歌の歌詞を表示すると共に動画像を見せるものである。アンプは、カラオケから提供する伴奏音とマイクから入力される信号とを混合し、音程(pitch)、速度(speed)、反響(echo)およびボリュームを調節する装置である。
【０００３】
図１に示すように、従来のカラオケルームシステム１は、カラオケ２、アンプ４およびディスプレイ装置６がそれぞれ別個の装置に構成される。そして、従来のカラオケ２とアンプ４は前後幅の厚いボックスタイプである。したがって、カラオケルームなどにカラオケルームシステム１を設置するときは、カラオケ２とアンプ４を別途の収納テーブル３に収納し、ディスプレイ装置６は収納テーブルの上に乗せる方式で設置する。このように、従来のカラオケルームシステム１は、狭小なカラオケルームの内部に別途の収納テーブル３を設置しなければならないので、室内空間がさらに狭くなるうえ、様々な室内デザインを演出し難いという問題があった。
【０００４】
最近、カラオケルームシステム１では、ＬＣＤやＰＤＰなどの平板ディスプレイ装置が使用される。平板ディスプレイ装置は、厚さが薄いため、狭小なカラオケルームに適する。ところが、このような平板ディスプレイ装置を使用する場合でも、ボックスタイプのカラオケ２とアンプ４を使用すると、これらを収納するための収納テーブル３の使用が不可避なので、空間節減の効果が得られない。また、平板ディスプレイ装置を壁面に掛けて収納テーブル３を無くす場合には、ディスプレイ装置の下方に、カラオケ２またはアンプ４を収納するための別途の棚７（図６）を壁面に埋設しなければならない。よって、棚７が埋設されるだけの室内空間が減少するうえ、施行費が高くかかるという問題点があった。
【発明の開示】
【発明が解決しようとする課題】
【０００５】
そこで、本発明は、上述した従来の技術の問題点を解決するためのもので、その目的とするところは、それぞれ別個の装置であるカラオケ、アンプおよびディスプレイ装置を一つの装置に統合することにより、カラオケまたはアンプを収納するための収納テーブルまたは棚なしにカラオケルームシステムを容易に設置することができ、狭小なカラオケルームの空間を効率よく使用することができる、ディスプレイ装置を一体に備えた薄型カラオケを提供することにある。
【課題を解決するための手段】
【０００６】
上記目的を達成するために、本発明は、中央に開口部が設けられたフロントカバーと、前記フロントカバーに結合して内部空間を形成するように後方に折り曲げられ、多数の放熱孔を有するバックカバーと、前記フロントカバーの後面に配置され、前面にディスプレイ部を形成するディスプレイパネルと、前記ディスプレイパネルの後面の一側に配置され、前記ディスプレイパネルと電気的に連結されて外部からの映像信号を処理する、多数の電子部品およびＰＣＢからなるディスプレイ用基板と、前記ディスプレイパネルの後面の他側に配置され、前記ディスプレイ用基板と電気的に連結されて歌の伴奏と歌詞を格納するとともに伴奏音の音程、速度、反響およびボリュームなどを調節し、マイクからの入力信号を前記伴奏音と混合して前記スピーカを介して出力する、多数の電子部品およびＰＣＢからなる伴奏器用基板とを含んでなる、ディスプレイ装置を一体に備えた薄型カラオケを提供する。
【０００７】
前記伴奏器用基板は、キー入力部からのデータを処理するとともに、選曲の際には当該伴奏音を抽出して信号処理するメインボードと、歌の伴奏および歌詞または動画像を格納し出力するハードディスクと、伴奏音の音程、速度および反響を調節し、マイク入力信号を伴奏音と混合するアンプおよび電源装置とを含んでなる。
本発明において、前記ディスプレイ用基板と前記伴奏器用基板は、前記ディスプレイパネルの後面に設置されたガイドレールに沿って上下に摺動自在に設置され、修理および交替を容易にする。
【０００８】
また、本発明において、前記ディスプレイ用基板と前記伴奏器用基板は、前記ディスプレイパネルの後面に固定される支持プレートのガイドレールに沿って上下に摺動自在に設置される。
また、前記ディスプレイ用基板と前記伴奏器用基板の下端には、各種端子を設置するための端子板が垂直に設置され、前記フロントカバーの後面の下端には、前記ディスプレイ用基板と前記伴奏器用基板が挿入されるように前記ディスプレイ用基板と前記伴奏器用基板それぞれに対応して設けられる挿入口を有する垂直プレートが設置される。
【発明の効果】
【０００９】
上述したように、本発明に係るディスプレイ装置を一体に備えた薄型カラオケは、それぞれ別個の装置であるカラオケ、アンプおよびディスプレイ装置を一つの装置に統合することにより、カラオケまたはアンプを収納するための収納テーブルまたは棚なしにもカラオケルームシステムを容易に設置することができるという効果がある。
また、本発明は、厚さの薄い薄型カラオケのみを設置するため、狭小なカラオケルームの空間を効率よく使用することができるうえ、壁面に掛け或いはスタンドに設置することにより、様々な室内デザインを演出することができるという効果がある。
【発明を実施するための最良の形態】
【００１０】
以下に添付図面を参照しながら、本発明に係るディスプレイ装置を一体に備えた薄型カラオケ（以下、「薄型カラオケ」という）の好適な実施の形態について詳細に説明する。
まず、図２は本発明に係る薄型カラオケを示す斜視図、図３は本発明に係る薄型カラオケを示す分解斜視図、図４は本発明に係る薄型カラオケの内部構成を示す概略平面図である。
【００１１】
図２に示すように、本発明に係る薄型カラオケ１０は、別個の装置であるカラオケ、アンプおよびディスプレイ装置を一つの装置に一体化したものである。すなわち、本発明に係る薄型カラオケ１０は、平板ディスプレイ装置２０にカラオケとアンプを内蔵することにより、カラオケとアンプを収納するための収納テーブルを必要とせず、前後の厚さを最小化してカラオケルームの空間を効率よく使用することができるうえ、壁に掛け或いはスタンドを用いて設置する場合、カラオケルームの室内デザインを自由に演出することができる。
【００１２】
本発明に係る薄型カラオケ１０の前面には、歌の歌詞および動画像を表示するためのディスプレイ装置２０が設置される。この際、前記ディスプレイ装置２０は、ＬＣＤ(Liquid Crystal Display)やＰＤＰ(Plasma Display Panel)などの平板ディスプレイパネル２１である。また、前記ディスプレイパネル２１はバックライトやインバータなどの部品を含む。
【００１３】
前記薄型カラオケ１０の前面と側面には、リモコンの信号を受信するためのリモコン受信窓１２と、ＴＶチャネルおよび伴奏すべき歌を選択するための各種キーボタン１３と、マイクを掛けるためのマイク掛け具１４などが設置される。前記薄型カラオケ１０には少なくとも一つのスピーカ６が連結される。
図３および図４を参照すると、本発明に係る薄型カラオケ１０は、フロントカバー１１とバックカバー６１間の内部空間にディスプレイパネル２１、ディスプレイ用基板４１および伴奏器用基板５１が設置される。未説明符号３１は後述する支持プレートを示す。
【００１４】
前記フロントカバー１１は、中央に表示窓を形成する開口部１５が設けられたフレーム体であって、ディスプレイパネル２１を支持するための支持台（図示せず）が含まれる。前記フロントカバー１１の下端には、ディスプレイ用基板４１および伴奏器用基板５１が固定される垂直プレート７１が設置される。前記垂直プレート７１は、ボルトやネジなどによって前記フロントカバー１１の後面の下端に結合し、前記ディスプレイ用基板４１と伴奏器用基板５１が挿入される挿入部７２がそれぞれ設けられる。
【００１５】
一方、前記バックカバー６１は、フロントカバー１１の後面に結合することにより、前記ディスプレイパネル２１、ディスプレイ用基板４１、伴奏器用基板５１および支持プレート３１が設置される内部空間を形成する。前記バックカバー６１は、十分な大きさの空間を確保するように、後方に折り曲げられた金属板からなり、ディスプレイパネル２１、ディスプレイ用基板４１および伴奏器用基板５１から発生する熱を放熱し得るように多数の放熱孔６２が穿孔されている。
【００１６】
前記バックカバー６１には、壁掛け用ブラケット８（図５）を掛けるためのブラケット用貫通孔６３が設けられる。前記バックカバー６１の下端には、アンテナ、ビデオ、Ｓ−ＶＩＤＥＯ、ＤＶＤ、ＤＴＶ、ＰＣ、マイク、ＡＣ ＰＯＷＥＲなどの各種ケーブルを連結し易いように、上方に折り曲げられた折曲部を形成する。
一方、前記ディスプレイパネル２１は、厚さの薄い板状をしており、前記フロントカバー１１の後面に固定される。前記ディスプレイパネル２１の後面の両側には放熱部２２が設けられ、好ましくは前記放熱部２２にはバックライトやバックライト用インバータなどが設置される。
【００１７】
前記ディスプレイパネル２１の後面の一側には、ディスプレイ用基板４１と伴奏器用基板５１が上下に摺動自在に設置される。この際、前記ディスプレイ用基板４１は、好ましくはディスプレイパネル用ＡＤボード４２であり、その下端には各種ＡＶ端子を設置するための端子板４５が垂直に設置される。前記ディスプレイ用基板４１には、ＡＤボード４２の他に電源装置４３、コントロールボード（ＯＳＤボード）４４、インバータボード（図示せず）およびＴＶチューナーなどが設置され得る。
【００１８】
前記ディスプレイパネル２１の後面の他側に設置された伴奏器用基板５１は、メインボード５２、アンプ５３、ハードディスク５４および電源装置５６などが設置され、その下端には各種ＡＶ端子およびＵＳＢ端子などを設置するための端子板５５が垂直に設置される。この際、前記メインボード５２には、マイコン、メモリおよびチップセットなどが含まれるもので、キー入力部から入力される信号を処理し且つ伴奏音信号を処理する。前記ハードディスク５４は、補助記憶装置であって、歌の伴奏および歌詞または動画像を格納する。
【００１９】
一方、前記アンプ５３はデジタルアンプ(Digital Amp)である。デジタルアンプは、ＣＤ、ＤＶＤ、ＭＤ(Magnetic Disk)、ＭＰ３、ＨＤＴＶなどのデジタル音声信号を直接受け入れ、アナログに変えずにデジタルで増幅してスピーカを鳴らすため、デジタル−アナログコンバータＤＡＣを必要としない。デジタルアンプは、音楽信号をデジタル信号に変換しこれを直接増幅するから、原音をそのまま再現することが可能であり、部品数も既存アンプの１０分の１水準であって超小型・超軽量製品とすることが可能である。また、熱が少ないため、薄型パッケージが可能である。
【００２０】
上述したように、前記ディスプレイ用基板４１と伴奏器用基板５１は、ディスプレイパネル２１の後面に直接設置することが好ましいが、本発明の他の実施例として、図３に示すように、前記ディスプレイパネル２１の後面に固定された別途の支持プレート３１の後面に設置してもよい。前記支持プレート３１は、薄い厚さの金属板からなり、ディスプレイパネル２１の後面に固定されてディスプレイパネル２１を保護するとともに、前記ディスプレイ用基板４１と伴奏器用基板５１を案内するガイドレール３２の設置を容易にする。
【００２１】
前記ガイドレール３２は、ディスプレイ用基板４１と伴奏器用基板５１を上下に案内し得るように、所定間隔離間して設けられる。前記ガイドレール３２には、ディスプレイ用基板４１と伴奏器用基板５１の両側縁部が挿入され得るようにガイド溝３４が設けられる。前記ディスプレイ用基板４１と伴奏器用基板５１の両側縁部には、ガイド溝３４に挿入されるガイド部４４、５７が設けられる。
【００２２】
従って、本発明に係るディスプレイ用基板４１と伴奏器用基板５１は、ガイドレール３２に沿って上下に摺動自在になる。このように、本発明に係る薄型カラオケ１０は、ディスプレイ用基板４１と伴奏器用基板５１が上下に摺動自在になることにより、図５に示すように、前記薄型カラオケ１０を壁面などに設置した状態でも、カラオケを取り外さずにディスプレイ用基板４１と伴奏器用基板５１を容易に取り外して修理または交替することができる。
【００２３】
一方、前記ディスプレイ用基板４１と伴奏器用基板５１の下端に垂直に設置された端子板４５、５５は、上述した垂直プレート７１の挿入部７２より大きく設けられる。したがって、前記端子板４５、５５をボルトとネジを用いて前記垂直プレート７１に締結することにより、前記ディスプレイ用基板４１と伴奏器用基板５１を容易に固定することができる。
【００２４】
前記ディスプレイ用基板４１のＡＤボード４２は、好ましくは信号入力部、信号処理部を含む。信号入力部は外部からの信号を受け入れ、信号処理部は入力された各種信号を制御しながら処理する。信号処理部で処理された信号は、ディスプレイパネル２１とスピーカを介して表現される。電源装置４３は、外部からの電源を加工処理してそれぞれのエレメントに提供するように設計される。
【００２５】
すなわち、前記信号入力部はアンテナ、ビデオ、Ｓ−ＶＩＤＥＯ、ＤＶＤ、ＤＴＶ、ＰＣ、およびＡＣ ＰＯＷＥＲラインから信号を受け入れ、前記信号処理部はＡＣ ＰＯＷＥＲラインからの電源の供給を受け、信号入力部からの信号を映像信号と音声信号にそれぞれ分類しながら、ディスプレイパネル２１およびスピーカを介して表出する。一方、前記信号処理部は、マイコンの制御を受け、映像信号をディスプレイパネル２１に表示すると同時に、音声信号をＳＯＵＮＤ ＩＣおよびスピーカを介して可聴音として提供する。
【００２６】
また、アンテナからの信号はチューナーでチューニングされてビデオプロセッサを介して映像信号に処理され、ＤＶＤ、ＤＴＶおよびＰＣラインからの信号はＡ／Ｄコンバータを介して映像信号に処理される。このような映像信号は、マイコンの制御によってディスプレイパネル２１に映像イメージとして表現される。
また、前記伴奏器用基板５１には、メインボード５２、アンプ５３、ハードディスク５４および電源装置５６が設置される。前記メインボード５２は、外部からの入力信号を受け入れ、選曲の際にはハードディスク５４に格納されている歌の伴奏と歌詞または動画像を読み出し、映像信号および音声信号を処理する。この際、映像信号は前記ディスプレイ基板３１を介してディスプレイパネル２１に映像イメージとして表現し、音声信号は信号処理して前記アンプ５３とスピーカ６を介して可聴音として表現する。
【００２７】
前記アンプ５３は、前記ハードディスク５４から読み出した伴奏音の音程(Pitch)、速度(speed)、反響(echo)およびボリュームを調節し、マイクからの入力信号と伴奏音とを混合してスピーカ６を介して出力する。
一方、図３および図４に示すように、前記ディスプレイ用基板４１と伴奏器用基板５１には、電源装置４３、５６がそれぞれ設置されている。ところが、本発明に係る薄型歌伴奏器の他の実施例として、前記ディスプレイ用基板４１と伴奏器用基板５１の両側ともに電源を供給し得る一つの電源装置のみを構成してもよい。しかも、本発明に係る伴奏器用基板５１にはインターネットや携帯電話などと接続することが可能な通信モジュールを備え、各種音源から伴奏音を有無線で入力したり薄型カラオケ１０から伴奏音などをダウンロードしたりすることを可能にする。
【図面の簡単な説明】
【００２８】
【図１】従来の技術に係るカラオケルームのシステムを示す斜視図である。
【図２】本発明に係るディスプレイ装置を一体に備えた薄型カラオケを示す斜視図である。
【図３】本発明に係るディスプレイ装置を一体に備えた薄型カラオケを示す分解斜視図である。
【図４】本発明に係るディスプレイ装置を一体に備えた薄型カラオケの内部構成を示す平面図である。
【図５】本発明に係るディスプレイ装置を一体に備えた薄型カラオケを設置した様子を示す設置断面図である。
【符号の説明】
【００２９】
１０    本発明の薄型カラオケ
１１    フロントカバー
２１    ディスプレイパネル
３１    支持プレート
４１    ディスプレイ用基板
５１    伴奏器用基板
６１    バックカバー
７１    垂直プレート
【図１】
2009533697.tif 000003
【図２】
2009533697.tif 000004
【図３】
2009533697.tif 000005
【図４】
2009533697.tif 000006
【図５】
2009533697.tif 000007
【国際調査報告】
2009533697.tif 000008
2009533697.tif 000009